(57)【要約】【課題】映像入力部付き携帯用端末機において文字を認識する方法を提供する。【解決手段】映像を撮影できる映像入力部と、前記映像を格納できるメモリとを持つ携帯用端末機において、文字を自動で認識できる自動認識モードにおいて撮影された映像を自動で認識する方法は、前記自動認識モードを設定する過程と、前記設定された自動認識モードにおいて、撮影された映像を前記メモリに格納し、前記撮影された映像から前記文字を認識して格納するように制御する過程とを含む。【選択図】図４
2005004760.tif 000002
【特許請求の範囲】
【請求項１】
映像を撮影できる映像入力部と、前記映像を格納できるメモリとを持つ携帯用端末機において、文字を自動で認識できる自動認識モードにおいて撮影された映像を自動で認識する方法において、
前記自動認識モードを設定する過程と、
前記設定された自動認識モードにおいて、撮影された映像を前記メモリに格納し、前記撮影された映像から前記文字を認識して格納するように制御する過程と、を含むことを特徴とする方法。
【請求項２】
前記撮影された映像から前記文字を認識し格納するように制御する過程は、
撮影された映像において文字の大きさが最も大きい文字をポップアップ表示する過程と、
前記ポップアップされた文字を目録に格納するように制御する過程と、を含むことを特徴とする請求項１に記載の方法。
【請求項３】
撮影された映像において文字の大きさが最も大きい文字をポップアップ表示する過程において、
共通的に認識可能な文字をデータベースに格納する過程と、
前記データベースに格納された文字と認識された文字とを比較する過程と、
前記比較結果、それらの文字が一致する場合、前記認識された文字をポップアップ表示する過程と、を含むことを特徴とする請求項２に記載の方法。
【請求項４】
映像を撮影できる映像入力部と、前記映像を格納できるメモリとを備えた携帯用端末機において、文字を指定して認識できる手動認識モードにおいて撮影された映像を手動で認識する方法において、
前記手動認識モードを設定する過程と、
前記設定された手動認識モードにおいて、撮影された映像を前記メモリに格納し、前記撮影された映像から前記文字を認識して格納するように制御する過程と、を含むことを特徴とする方法。
【請求項５】
前記手動認識モードを設定する過程は、
認識する文字を選択するためにボックス指定とライン指定のうち少なくとも一つを指定して設定する過程をさらに含むことを特徴とする請求項４に記載の方法。
【請求項６】
前記撮影された映像から前記文字を認識して格納するように制御する過程は、
前記設定された手動認識モードにおいて、認識する文字を選択する過程と、
前記選択された文字を認識して格納するように制御する過程と、を含むことを特徴とする請求項４に記載の方法。
【請求項７】
映像を撮影できる映像入力部と、前記映像を格納できるメモリとを備える携帯用端末機において、前記メモリに格納された認識された文字と前記映像を編集できる編集モードにおいて認識された映像を編集する方法において、
前記メモリに格納された映像を表示する過程と、
認識する文字を選択する過程と、
前記選択された文字と前記映像を格納するように制御する過程と、を含むことを特徴とする方法。
【請求項８】
認識する文字を選択する過程は、
手動認識モードにおいてボックス指定とライン指定のうち少なくとも一つの設定された指定を利用して選択することを特徴とする請求項７に記載の方法。
【発明の詳細な説明】
【技術分野】
【０００１】
本発明は、携帯用端末機の文字認識に関し、特に、文字を認識する方法とこの方法によって認識された文字を編集する方法に関する。
【背景技術】
【０００２】
携帯用端末機は、通話を行う一般の機能と、通話機能以外の付加機能とを有する。前記付加機能に対し、携帯用端末機ではカメラなどを備えており、該カメラを用いて映像を撮影する。前記撮影された映像は、静止映像または動映像などがあり、いずれも前記携帯用端末機に格納されることができる。
【０００３】
ところで、前記カメラが名刺、本などを撮影する場合、携帯用端末機は前記撮影された映像の全体を格納する。そこで、本発明は、入力される映像から文字を別途に認識できる方法を提案する。
【発明の開示】
【発明が解決しようとする課題】
【０００４】
したがって、本発明の目的は、携帯用端末機において文字を認識する方法を提供することにある。
本発明の他の目的は、携帯用端末機において認識された文字を編集する方法を提供することにある。
【課題を解決するための手段】
【０００５】
上記の目的を達成するべく、本発明は、映像を撮影できる映像入力部と、前記映像を格納できるメモリとを備えた携帯用端末機において、文字を自動で認識できる自動認識モードにおいて撮影された映像を自動で認識する方法において、前記自動認識モードを設定する過程と、前記設定された自動認識モードにおいて、撮影された映像を前記メモリに格納し、前記撮影された映像から前記文字を認識して格納するように制御する過程と、を含むことを特徴とする。
【０００６】
また、本発明は、映像を撮影できる映像入力部と、前記映像を格納できるメモリとを備えた携帯用端末機において、文字を指定して認識できる手動認識モードにおいて撮影された映像を手動で認識する方法において、前記手動認識モードを設定する過程と、前記設定された手動認識モードにおいて、撮影された映像を前記メモリに格納し、前記撮影された映像から前記文字を認識して格納するように制御する過程と、を含むことを特徴とする。
【０００７】
また、本発明は、映像を撮影できる映像入力部と、前記映像を格納できるメモリとを備えた携帯用端末機において、前記メモリに格納された認識された文字と前記映像を編集できる編集モードにおいて認識された映像を編集する方法において、前記メモリに格納された映像を表示する過程と、認識する文字を選択する過程と、前記選択された文字と前記映像を格納するように制御する過程と、を含むことを特徴とする。
【発明の効果】
【０００８】
上述した如く、本発明は、携帯用端末機において映像入力部から入力された映像(名刺、本など)から文字を認識し目録として格納するため、使用者が格納された目録から所望の文字を検索・編集・ダイヤルリングできるという利点がある。
【発明を実施するための最良の形態】
【０００９】
以下、本発明に係る好ましい実施例を添付図面を参照しつつ詳細に説明する。下記の説明にあたり、本発明に係る動作を理解する上で必要な部分だけが説明され、それ以外の部分に対する説明が、本発明の要旨を曖昧にするとされる場合には適宜説明を省略するものとする。
【００１０】
図１は、本発明の一実施例に係る携帯用端末機の内部構成図である。
図１を参照すれば、ＲＦ(Radio Frequency)部１２１は、携帯用端末機の通信を行う。該ＲＦ部１２１は、送信される信号の周波数をアップコンバート及び増幅するＲＦ送信機と、受信される信号を低雑音増幅して周波数をダウンコンバートするＲＦ受信機などを含む。データ処理部１２３は、前記送信される信号を符号化及び変調する送信機及び前記受信される信号を復調及び復号化する受信機などを備える。前記データ処理部１２３は、モデム(MODEM)及びコデック(CODEC)などで構成されると良い。オーディオ処理部１２５は、前記データ処理部１２３から出力される受信オーディオ信号を再生したりマイクから発生する送信オーディオ信号を前記データ処理部１２３に転送する機能を行う。
【００１１】
キー入力部１２７は、数字及び文字情報を入力するためのキー及び各種機能を設定するためのファンクションキーを備える。前記各種ファンクションキーは、文字認識モードキー、自動認識モードキー、手動認識モードキー、編集モードキーなどを意味する。これらのファンクションキーは、それぞれのモードに切り換えるために設定されたり選択されたりするキーであり、ナビゲーションキー、数字キー、文字キーなどを使用してもよく、これらのキーの組合せでもファンクションキーの機能を果たすことができる。
【００１２】
メモリ１２９は、プログラムメモリ及びデータメモリで構成される。前記プログラムメモリには携帯用端末機の一般的な動作を制御するためのプログラム及び本発明の実施例による文字認識モードにおいて設定されたモードによって動作できるように制御するプログラムを格納することができる。また、前記データメモリは、前記プログラムを行う途中に発生するデータを一時格納したり、外部から入力されるデータを格納する機能を行う。また、前記データメモリは、ポップアップされた文字を目録に格納したり撮影された映像を格納する。ここで、前記メモリ１２９は、ポップアップされた文字を格納する目録と前記撮影された映像とを分離して格納することができる。これについては下記で詳細に説明するものとする。
【００１３】
映像入力部１５０は、カメラ、カムコーダ、スキャナーなど映像を入力するものならいずれも使用可能である。また、映像入力部１５０は、映像を撮影し、撮影された光信号を電気的信号に変換するカメラセンサーを備える。ここで前記カメラセンサーは、ＣＣＤセンサーとする。また、本発明では、前記映像入力部１５０を内蔵型としているが、携帯用端末機と接続して使用する外付け型の映像入力部１５０であってもいい。
【００１４】
信号処理部１６０は、前記映像入力部１５０から入力される映像をイメージ信号に変換する。ここで前記信号処理部１６０はデジタル信号処理器(Digital Signal Processor：ＤＳＰ)で具現できる。映像処理部１７０は、前記信号処理部１６０から出力されるイメージ信号を表示するための画面データを発生する機能を行う。該映像処理部１７０は、制御部１１０の制御の下に受信される映像信号を表示部１８０の規格に合わせて転送し、前記映像データを圧縮及び伸張する。
【００１５】
前記制御部１１０は、携帯用端末機の全般的な動作を制御する機能を行う。また、前記制御部１１０は前記データ処理部１２３を含むことができ、前記キー入力部１２７からのキー信号を受けて自動認識モード、手動認識モード、編集モードに切り換えるように制御し、設定されたモードに応じて携帯用端末機の動作を制御する。その詳細は後述する。
【００１６】
表示部１８０は、液晶表示装置(ＬＣＤ)などを使用することができ、この場合、前記表示部１８０は、ＬＣＤ制御部(LCD controller)、映像データを格納できるメモリ、及びＬＣＤ表示素子などを備える。前記表示部１８０は、前記映像処理部１７０から送られてきた映像信号を画面に表示する。また、使用者のキー入力に応じて前記制御部１１０は、ボックス(box)及びライン(line)が前記表示部１８０に表示されるように制御する。ここで、使用者が前記ボックス(box)の大きさまたは前記ライン(line)の長さを調節できるように設定されることができる。例えば、前記ボックスの大きさまたは前記ラインの長さを様々にしてそれを使用者に選択させ、特定のキー(ナビゲーションキー、数字キー、特殊キーなど)の操作で前記ボックスの大きさまたは前記ラインの長さが調節できる。
【００１７】
図２は、本発明の一実施例に係る携帯用端末機の表示部に表示される情報を示す図である。図３は、本発明の一実施例に係る携帯用端末機において文字認識モードの設定を説明するための図である。図１ないし図３を参照して文字認識モードにおいて自動認識モード設定及び手動認識モード設定について述べる。
【００１８】
３０１段階において、前記制御部１１０は前記キー入力部１２７からキー信号が入力されるか検査する。この検査の結果、前記キー信号が文字認識モードキー信号でなければ初期状態を維持し、前記キー信号が前記文字認識モードキー信号だと前記制御部１１０は３０３段階に進むように制御する。ここで前記文字認識モードキー信号は、使用者が前記キー入力部１２７のキーを押すことで発生する信号であり、前記キー入力部１２７は文字認識モードキーを別途に含むことができる。
【００１９】
３０３段階において、前記制御部１１０は、文字認識モードに切り換え、前記表示部１８０に前記文字認識モードの情報を表示させ、３０５段階に進むように制御する。これにより、前記表示部１８０は、図２の(ａ)のように前記文字認識モードの情報を表示できる。前記文字認識モードは、使用者が前記文字認識モードキーを押すことで切り換えられ、数字キー、特殊キー、ナビゲーションキーなどの組合せで切り換えられる。
【００２０】
前記３０５段階において、前記制御部１１０は、前記キー入力部１２７からキー信号が入力されるか検査する。この検査の結果、前記キー信号が自動認識モードキー信号でないと３０９段階に進み、前記キー信号が自動認識モードキー信号なら前記制御部１１０は３０７段階に進むように制御する。この３０７段階において、前記制御部１１０は自動認識モードを設定する。この自動認識モードは、前記映像入力部１５０から入力される映像を自動で認識するモードであり、その詳細は図４に基づいて後述する。
【００２１】
一方、前記３０９段階において、前記制御部１１０は前記キー入力部１２７からキー信号が入力されるか検査する。この検査の結果、前記キー信号が手動認識モードキー信号でないと３２１段階に進み、前記キー信号が手動認識モードキー信号なら前記制御部１１０は３１１段階に進むように制御する。この３１１段階において、前記制御部１１０は手動認識モードに切り換え、前記表示部１８０に前記手動認識モードの情報を表示させ、３１３段階に進むように制御する。これにより、前記表示部１８０は、図２の(ｂ)のように前記手動認識モードの情報を表示できる。
【００２２】
前記３１３段階で、前記制御部１１０はボックス(box)指定が選択されるか検査する。この検査の結果、前記ボックス指定が選択されなかった場合は３１７段階に進み、前記ボックス指定が選択されたら前記制御部１１０は３１５段階に進むように制御する。前記３１５段階において、前記制御部１１０はボックス指定と設定する。ここで前記ボックス指定は、認識する文字をボックスで指定するように環境を設定するものであり、手動認識モードにおいて使用者が希望する文字をボックスで指定して認識できるように設定されるものである。
【００２３】
一方、前記３１７段階において、前記制御部１１０はライン(line)指定が選択されるか検査する。この検査の結果、前記ライン指定が選択されなかった場合は３１１段階に戻り、前記ライン指定が選択されたら前記制御部１１０は３１９段階に進むように制御する。この３１９段階において、前記制御部１１０はライン指定と設定する。ここで前記ライン指定は、認識する文字をラインで指定して認識できるように環境を設定するものであり、手動認識モードにおいて使用者が希望する文字をラインで指定して認識できるように設定されるものである。前記手動認識モードにおいて使用者が前記ボックス指定または前記ライン指定を設定すれば、前記制御部１１０は前記自動認識モードを設定できないように制御する。また、使用者が前記自動認識モードを設定すれば、前記制御部１１０は前記手動認識モードを設定できないように制御する。
【００２４】
一方、前記３２１段階において、前記制御部１１０は前記キー入力部１２７からキー信号が入力されるか検査する。この検査の結果、前記キー信号が編集モードキー信号でないと３２５段階に進み、前記キー信号が前記編集モードキー信号なら前記制御部１１０は３２３段階に進むように制御する。この３２３段階において、前記制御部１１０は編集モードに切り換えるように制御する。前記編集モードは前記メモリ１２９に格納された映像を編集するモードであり、その詳細は図６に基づいて後述する。
【００２５】
前記３２５段階において、前記制御部１１０は設定された時間、例えば、１分の時間が経過したか検査する。この検査の結果、設定された１分の時間が経過しなかった場合は前記３０３段階に戻り、設定された１分の時間が経過したら前記制御部１１０は終了されるように制御する。前記設定された時間は、あらかじめ設定する時間であり、前記自動認識モードキー信号、前記手動認識モードキー信号、前記編集モードキー信号が一定時間(設定した時間)の間に入力されないと前記制御部１１０は終了するように制御する。
【００２６】
図４は、本発明の一実施例に係る文字認識モードにおいて設定された自動認識モードの動作を説明するための図である。図１、図２、及び図４を参照して、前記文字認識モードにおいて自動認識モードと設定された時、前記制御部１１０が文字を認識する方法を説明する。
【００２７】
まず、４０１段階において、前記制御部１１０は、使用者が携帯用端末機を利用して映像を撮影したか検査する。この検査の結果、前記映像が撮影されなかった場合は初期状態を維持し、前記映像が撮影されたら前記制御部１１０は４０３段階に進むように制御する。この４０３段階において、前記制御部１１０は、前記表示部１８０に前記撮影された映像を表示し、文字大きさの最も大きい文字をポップアップ(蓄積されているデータのうち、最も上に存在するデータを取り出すこと：pop-up)表示し、４０５段階に進むように制御する。
【００２８】
文字を認識すべく、前記制御部１１０は、文字のある黒(black)と文字のない白(white)を差別化するよう制御する。差別化するに当たって、前記制御部１１０は、黒(black)部分はより濃く白(white)部分はより薄くなるように制御する。また、前記制御部１１０は、差別化した黒(black)部分を文字領域として認識しコード値に切り換えるように制御する。前記メモリ１２９は、前記コード値を格納する。前記表示部１８０に表示された映像において、前記制御部１１０は液晶表示装置(ＬＣＤ)のドット数から文字大きさが分かる。前記制御部１１０は、測定された文字の大きさのうち最も大きい文字を前記表示部１８０に表示するように制御する。これにより、前記表示部１８０は、図２の(ｃ)と(ｄ)のように表示できる。図２の(ｃ)は本(book)の一部分を撮影したものであり、前記制御部１１０は、文字大きさの最も大きい“第１章 幸せ”を前記表示部１８０にポップアップ(pop-up)表示するように制御する。図２の(ｄ)は、名刺を撮影したものであり、前記制御部１１０は、文字大きさの最も大きい“三星電子”をポップアップ(pop-up)表示するように前記表示部１８０を制御する。
【００２９】
また、文字を認識する方法には、特徴的な文字を自動で認識して格納する方法もある。すなわち、共通的に認識可能な文字をデータベースに格納し、前記データベースに格納された文字と認識された文字とを比較しこれらが一致する場合、前記認識された文字をポップアップ表示できる。例えば、名刺にはTEL、Tel、Phone、電話番号、電話、Tなどの電話番号フィールドと、C.P.、CP、C.P、HHP、H.P、Mobile、MOBILE、携帯フォン、携帯電話などの携帯電話フィールドがあり、E-mail、Email、e-mail、イメールなどのイメールフィールドが存在する。前記特徴的な文字とは、共通的に適用可能な文字のことであって、前記特徴的な文字は前記電話番号フィールド、前記携帯電話フィールド、前記イメールフィールドの外に、電話番号識別字、“-”(例えば、０２-０００-１１１１)などになり得る。これらの特徴的な文字は、データベース(ＤＢ)に格納されることができ、前記特徴的な文字を基準に認識された文字と前記データベースに格納された文字とを比較した後、ポップアップ表示するように前記表示部１８０を制御できる。例えば、 図２の(ｄ)において０５４-１２３-１２３４がポップアップ表示されたとすれば、特徴的な文字“-”がデータベースに格納されたことがわかる。すなわち、前記(ｄ)で特徴的な文字“-”があったため、前記制御部１１０は前記“-”が入っている文字列０５４-１２３-１２３４をポップアップ表示するように前記表示部１８０を制御する。
【００３０】
次いで、前記４０５段階において、前記制御部１１０は前記キー入力部１２７からキー信号が入力されるか検査する。この検査の結果、前記キー信号が格納キー信号でなければ４０９段階に進み、前記キー信号が前記格納キー信号なら前記制御部１１０は４０７段階に進むように制御する。前記格納キー信号は、使用者が前記キー入力部１２７のキーを押すことで発生する信号であり、格納キーは、前記キー入力部１２７に一つのキーで構成されてもよく、ナビゲーションキー、確認キーなどの選択的組合せにより構成されても良い。前記４０７段階において、前記制御部１１０はポップアップされた文字(例えば、“第１章 幸せ”または“三星電子”)を目録に格納し、撮影された映像を前記メモリ１２９に格納するように制御する。前記目録は、前記メモリ１２９に格納されてもよく、別途のメモリに格納されてもいい。前記ポップアップされた文字を格納するに当たって、前記メモリ１２９は大きい文字列の集合を目次として格納してもいい。例えば、本や文書などを認識すれば、前記制御部１１０は大きい文字(題目、小題目など)をポップアップ表示するように前記表示部１８０を制御する。また、前記制御部１１０は前記ポップアップされた文字を目次として格納できるように前記メモリ１２９を制御できる。前記目次は、本、文書などの形式に分類され、一つのカテゴリを持つ内容に分類されると良い。
【００３１】
前記４０９段階において、前記制御部１１０は前記キー入力部１２７からキー信号が入力されるか検査する。この検査の結果、前記キー信号が取消キー信号でないと４１７段階に進み、前記キー信号が前記取消キー信号なら前記制御部１１０は４１１段階に進むように制御する。前記取消キー信号は、使用者が前記キー入力部１２７のキーを押すことで発生する信号であり、取消キーは前記キー入力部１２７に一つのキーで構成されてもよく、ナビゲーションキー、確認キーなどの選択的組合せにより構成されても良い。
【００３２】
前記４１１段階において、前記制御部１１０は撮影された文字大きさのうち、２番目に大きい文字大きさを持つ文字を前記表示部１８０に表示し、４１３段階に進むように制御する。前記表示部１８０に表示された映像において、前記制御部１１０は液晶表示装置(ＬＣＤ)のドット数から文字大きさが分かる。前記制御部１１０は、測定された文字の大きさのうち２番目に大きい文字を、前記表示部１８０にポップアップ表示するように制御する。これにより、前記表示部１８０は表示された文字のうち２番目に大きい“ホンギルドン”を、図２の(ｅ)のようにポップアップ表示できる。すなわち、使用者が前記キー入力部１２７の前記取消キーを押す度ごとに、前記制御部１１０は大きい文字から小さい文字の順に前記表示部１８０に文字がポップアップ表示されるように制御する。撮影された映像において最も小さい文字の大きさが前記表示部１８０にポップアップ表示され、使用者が前記取消キーを押すと前記制御部１１０は前記４０３段階に戻るように制御する。
【００３３】
次いで前記４１３段階において、前記制御部１１０は、前記キー入力部１２７からキー信号が入力されるか検査する。この検査の結果、前記キー信号が格納キー信号でないと前記４１１段階に戻り、前記キー信号が格納キー信号なら４１５段階に進むように制御する。４１５段階において、一定の時間(例えば、１分の時間)の中に前記格納キー信号が入力されないと、前記制御部１１０は終了するように制御する。また、前記４１５段階において、前記制御部１１０はポップアップされた文字を目録に格納し、撮影された映像を前記メモリ１２９に格納するように制御する。
【００３４】
一方、４１７段階において、前記制御部１１０は設定された時間、例えば１分の時間が経過されたか検査する。この検査結果、１分の時間が経過しなかったら前記４０３段階に戻り、１分の時間が経過したら前記制御部１１０は終了するように制御する。前記設定された時間は、あらかじめ設定される時間であり、前記格納キー信号、前記取消キー信号が一定の時間(設定された時間)の間に入力されないと前記制御部１１０は終了するように制御する。
【００３５】
図５は、本発明の一実施例による文字認識モードにおいて設定された手動認識モードの動作を説明するための図である。次に、図１、図２、及び図５に基づき、前記文字認識モードにおいて手動認識モードと設定されたとき前記制御部１１０が文字を認識する方法について説明する。
【００３６】
まず、５０１段階において、使用者が携帯用端末機を使って映像を撮影したか検査する。この検査の結果、前記映像が撮影されなかった場合は初期状態を維持し、前記映像が撮影されたら前記制御部１１０は５０３段階に進むように制御する。この５０３段階において、前記制御部１１０は、前記表示部１８０に撮影された映像を表示し、５０５段階に進むように制御する。これにより、前記表示部１８０は、図２の(ｉ)と(ｊ)のように表示できる。図２の(ｉ)は前記文字認識モードにおいてボックス(box)指定を選択した場合を表示したものであり、図２の(ｊ)は前記文字認識モードにおいてライン(line)指定を選択した場合を表示したものである。
【００３７】
その後、５０５段階において、前記制御部１１０は前記キー入力部１２７からキー信号が入力されるか検査する。この検査の結果、前記キー信号が指定キー信号でないと５１３段階に進み、前記キー信号が前記指定キー信号なら前記制御部１１０は５０７段階に進むように制御する。この５０７段階において、前記制御部１１０は指定された文字を前記表示部１８０に表示し、５０９段階に進むように制御する。すなわち、使用者が前記キー入力部１２７の指定キーを利用して認識する文字を選択すれば、前記制御部１１０は指定された文字を前記表示部１８０に表示するように制御する。ここで、指定キーは前記キー入力部１２７に１つのキーとして含まれ、使用者はナビゲーションキー、確認キー、数字キーなどの組合せで認識する文字を選択できる。すなわち、撮影された映像が名刺であり、前記文字認識モードにおいてボックス(box)指定が設定された場合、使用者は前記指定キーを利用して認識する文字(例えば、“ホンギルドン”)をボックス(box)中に位置するように指定する。また、撮影された映像が名刺であり、前記文字認識モードにおいてライン(line)指定が設定された場合、使用者は前記指定キーを利用して認識する文字(例えば、“ホンギルドン”)をライン(line)上に位置するように指定する。ここでボックスの大きさと前記ラインの長さが調節可能であることは前述のとおりである。
【００３８】
前記５０９段階において、前記制御部１１０は前記キー入力部１２７からキー信号が入力されるか検査する。この検査の結果、前記キー信号が格納キー信号でないと前記５０７段階に戻り、前記キー信号が前記格納キー信号なら前記制御部１１０は５１１段階に進むように制御する。前記格納キー信号は、使用者が前記キー入力部１２７のキーを押すことで発生する信号であり、格納キーは前記キー入力部１２７に一つのキーで構成されてもよく、ナビゲーションキー、確認キーなどの選択的組合せで構成されてもいいい。その後、５１１段階において、前記制御部１１０は指定された文字を認識して目録に格納し、撮影された映像を前記メモリ１２９に格納するように制御する。
【００３９】
一方、前記５１３段階において、前記制御部１１０は設定された時間、例えば１分の時間が経過したか検査する。この検査の結果、１分の時間が経過しなかった場合は前記５０３段階に戻り、１分の時間が経過したら前記制御部１１０は終了するように制御する。前記設定された時間は、あらかじめ設定される時間であり、前記指定キー信号が一定時間(設定された時間)の間に入力されないと前記制御部１１０は終了するように制御する。
【００４０】
図６は、本発明の一実施例による文字認識モードにおいて編集モードの動作を説明するための図である。次に、図１、図２、及び図６を参照して編集モードにおいての制御部の動作について説明する。
【００４１】
使用者が編集モードを選択すると、前記制御部１１０は６０１段階に進むように制御する。この６０１段階において、前記制御部１１０は編集モードの情報を前記表示部１８０に表示するように制御し、６０３段階に進むように制御する。これにより、前記表示部１８０は、図２の(ｆ)のように前記編集モードの情報を表示できる。
【００４２】
前記６０３段階において、前記制御部１１０は、前記キー入力部１２７からキー信号が入力されるか検査する。この検査の結果、前記キー信号が修正キー信号でないと６１９段階に進み、前記キー信号が前記修正キー信号なら前記制御部１１０は６０５段階に進むように制御する。この６０５段階において、前記制御部１１０は目録を前記表示部１８０に表示し、６０７段階に進むように制御する。これにより、前記表示部１８０は図２の(ｇ)のように目録を表示できる。
【００４３】
その後、６０７段階において、前記制御部１１０は前記キー入力部１２７からキー信号が入力されるか検査する。この検査の結果、前記キー信号が選択キー信号でないと前記６０５段階に戻り、前記キー信号が前記選択キー信号なら前記制御部１１０は６０９段階に進むように制御する。前記選択キー信号は、使用者が前記キー入力部１２７のキーを押すことで発生する信号であり、選択キーは目録を選択できるナビゲーションキー、確認キー、数字キーなどを意味する。次いで、６０９段階において、前記制御部１１０は選択された目録の映像を前記表示部１８０に表示し、６１１段階に進むように制御する。これにより、前記表示部１８０は図２の(ｉ)または(ｊ)のように表示できる。
【００４４】
次いで前記６１１段階において、前記制御部１１０は前記キー入力部１２７からキー信号が入力されるか検査する。この検査の結果、前記キー信号が指定キー信号でないと前記６０９段階に戻り、前記キー信号が前記指定キー信号なら前記制御部１１０は６１３段階に進むように制御する。この６１３段階において、前記制御部１１０は指定された文字を前記表示部１８０に表示し、６１５段階に進むように制御する。すなわち、使用者が前記キー入力部１２７の指定キーを利用して認識する文字を選択すれば、前記制御部１１０は指定された文字を前記表示部１８０に表示するように制御する。ここで、前記指定キーは、前記キー入力部１２７に一つのキーとして含まれ、使用者はナビゲーションキー、確認キー、数字キーなどの組合せで認識する文字を選択できる。すなわち、撮影された映像が名刺であり、前記文字認識モードでボックス(box)指定が設定された場合、使用者は前記指定キーを利用して認識する文字、例えば“ホンギルドン”をボックス(box)中に位置するように指定する。また、撮影された映像が名刺であり、前記文字認識モードにおいてライン(line)指定が設定された場合、使用者は前記指定キーを利用して認識する文字、例えば“ホンギルドン”をライン(line)上に位置するように指定する。ここで前記ボックスの大きさと前記ラインの長さが調節可能であることは前述したとおりである。
【００４５】
その後、６１５段階において、前記制御部１１０は、前記キー入力部１２７からキー信号が入力されるか検査する。この検査の結果、前記キー信号が格納キー信号でないと前記６１３段階に戻り、前記キー信号が前記格納キー信号なら前記制御部１１０は６１７段階に進むように制御する。前記格納キー信号は、使用者が前記キー入力部１２７のキーを押すことで発生する信号であり、格納キーは前記キー入力部１２７に一つのキーで構成されてもよく、ナビゲーションキー、確認キーなどの選択的組合せにより構成されてもいい。前記６１７段階において、前記制御部１１０は、指定された文字を認識して目録に格納し、映像(名刺全体)を前記メモリ１２９に格納するように制御する。
【００４６】
一方、前記６１９段階において、前記制御部１１０は前記キー入力部１２７からキー信号が入力されるか検査する。この検査の結果、前記キー信号が目録閲覧キー信号でないと前記６０１段階に戻り、前記キー信号が前記目録閲覧キー信号なら前記制御部１１０は６２１段階に進むように制御する。この６２１段階において、前記制御部１１０は目録を前記表示部１８０に表示し、６２３段階に進むように制御する。これにより、前記表示部１８０は、図２の(ｇ)のように表示できる。
【００４７】
前記６２３段階において、前記制御部１１０は前記キー入力部１２７からキー信号が入力されるか検査する。この検査の結果、前記キー信号が選択キー信号でないと６２１段階に戻り、前記キー信号が前記選択キー信号なら前記制御部１１０は６２５段階に進むように制御する。前記選択キー信号は使用者が前記キー入力部１２７のキーを押すことで発生する信号であり、選択キーは、目録を選択できるナビゲーションキー、確認キー、数字キーなどを意味する。その後、６２５段階において、前記制御部１１０は選択された目録の映像を前記表示部１８０に表示し、６２７段階に進むように制御する。前記表示部１８０は図２の(ｈ)のように表示できる。すなわち、使用者が“２．ホンギルドン”という目録を選択すれば、前記制御部１１０は“ホンギルドン”という目録を題目として前記メモリ１２９に格納された映像を前記表示部１８０に表示するように制御する。
【００４８】
その後、６２７段階において、前記制御部１１０は前記キー入力部１２７からキー信号が入力されるか検査する。この検査の結果、前記キー信号が削除キー信号でないと６３１段階に進み、前記キー信号が前記削除キー信号なら前記制御部１１０は６２９段階に進むように制御する。この６２９段階において、前記制御部１１０は選択された目録“ホンギルドン”及び映像(名刺)を前記メモリ１２９から削除するように制御する。
【００４９】
一方、前記６３１段階において、前記制御部１１０は、前記キー入力部１２７からキー信号が入力されるか検査する。この検査の結果、前記キー信号が確認キー信号でないと前記６２５段階に戻るように制御し、前記キー信号が前記確認キー信号なら前記制御部１１０は終了するように制御する。ここで前記確認キー信号は、使用者が前記キー入力部１２７のキーを押すことで発生する信号であり、確認キーは使用者が確認及び終了する時に使用するキーである。
【００５０】
さらに、使用者が電話をかける時、前記認識された文字を使用することができる。すなわち、使用者が前記文字認識モードの手動認識モードにおいてボックス指定を設定したとすれば、前記制御部１１０は、撮影された映像(例えば、名刺)においてボックスにて名前と電話番号を別途に認識し格納するように制御できる。前記名前と前記電話番号を別途に認識して格納するにおいて、前記制御部１１０は文字(名前、電話番号など)のある黒(black)と文字のない白(white)を差別化するよう制御する。つまり、前記制御部１１０は黒(black)部分はより濃く白(white)部分はより薄くなるように制御する。また前記制御部１１０は、差別化した黒(black)部分を文字領域と認識してコード値に切り換えるように制御する。このコード値は前記メモリ１２９に格納される。すなわち、前記メモリ１２９は、文字(名前、電話番号など)のコード値を格納する。したがって、使用者が前記メモリ１２９に格納された名前及び電話番号を検索すると、前記制御部１１０はそれが前記表示部１８０に表示されるように制御する。このとき、使用者が通話(SEND)キーを押すと、前記制御部１１０は前記表示部１８０に表示された電話番号にダイヤルリングする。
【００５１】
以上の本発明の詳細な説明では具体的な実施例を上げて説明してきたが、本発明の範囲を外れない限度内で様々な変形が可能であることはもちろんである。したがって、本発明の範囲は、説明された実施例によって限定されるものではなく、特許請求の範囲及びこの特許請求の範囲と均等なものによって定められるべきである。
【図面の簡単な説明】
【００５２】
【図１】本発明の一実施例に係る携帯用端末機の内部構成図。
【図２】本発明の一実施例に係る携帯用端末機の表示部に表示される情報を示す図。
【図３】本発明の一実施例に係る携帯用端末機において文字認識モードの設定を説明するための図。
【図４】本発明の一実施例に係る文字認識モードにおいて設定された自動認識モードの動作を説明するための図。
【図５】本発明の一実施例に係る文字認識モードにおいて設定された手動認識モードの動作を説明するための図。
【図６】本発明の一実施例に係る文字認識モードにおいて編集モードの動作を説明するための図。
【符号の説明】
【００５３】
１１０・・・制御部、１２３・・・データ処理部、１２７・・・キー入力部、１２９・・・メモリ、１５０・・・映像入力部、１６０・・・信号処理部、１７０・・・映像処理部、１８０・・・表示部。
【図１】
2005004760.tif 000003
【図２】
2005004760.tif 000004
【図３】
2005004760.tif 000005
【図４】
2005004760.tif 000006
【図５】
2005004760.tif 000007
【図６】
2005004760.tif 000008